(57)【要約】  本発明のシガレットパッケージはケース（１０）を有し、このケース（１０）の開口端（１２）はタングリッド（１６）によって開閉される。タングリッド（１６）は、リッド部（１８）、タング部（２２）、このタング部（２２）に取り付けられた磁石（２８）を有し、一方、ケース（１０）の前壁（１０ｆ）には、磁石（２８）に吸着可能なシート（３４）が取付けられている。タングリッド（１６）が閉位置にあるとき、磁石（２８）及びシート（３４）は磁石（２８）の吸着力により互いに協働してタング部（２２）を前壁（１０ｆ）に保持し、一方、タングリッド（１６）の閉作動時、タング部（２２）は前壁（１０ｆ）を叩き、ノック音を発生させる。
2009090919.tif 000002
【特許請求の範囲】
【請求項１】
開口端を有するケースと、
前記ケースにおける前記開口端の後縁に第１セルフヒンジを介して接続されたタングリッドであって、前記開口端を開閉するリッド部と、このリッド部に第２セルフヒンジを介して接続され、前記タングリッドが閉位置にあるとき、前記ケースの前壁に重なり合うタング部とを有する、タングリッドと、
前記タングリッドの閉作動時、前記タングリッドが閉位置に位置付けられたことを示すノック音を発生させ、一方、前記タングリッドを前記閉位置に保持する音発生／保持装置
とを備える、シガレットパッケージ。
【請求項２】
前記音発生／保持装置は、前記前壁及び前記タング部の一方の内面に取り付けられた磁石と、前記前壁及び前記タング部の他方の内面に取り付けられ、前記磁石に吸着可能なシート部材とを含み、前記タングリッドが前記閉位置にあるとき、前記磁石及び前記シート部材は前記前壁を挟み込んでいる、請求項１のシガレットパッケージ。
【請求項３】
前記磁石は、前記タング部における先端部の内面に取り付けられ、前記シート部材は前記前壁の内面に取り付けられている、請求項２のシガレットパッケージ。
【請求項４】
音発生／保持装置は、前記タングの内面に貼り付けられ、且つ、前記磁石を覆う打ち当てフラップを更に含む、請求項３のシガレットパッケージ。
【請求項５】
前記打ち当てフラップは、前記タング部の先端から一体に延びている、請求項４のシガレットパッケージ。
【請求項６】
音発生／保持装置は、前記開口端の前縁に形成された切欠を更に含み、前記タングリッドが閉位置にあるとき、前記切欠は前記タング部により覆われている、請求項４のシガレットパッケージ。
【請求項７】
前記シート部材は、前記切欠の近傍に位置付けられている、請求項６のシガレットパッケージ。
【請求項８】
前記第１及び第２セルフヒンジは、前記タングリッドが前記閉位置にあるとき、円弧形状の横断面を有する、請求項１のシガレットパッケージ。
【請求項９】
前記リッド部の側縁と前記ケースの側壁とを互いに接続する折畳み可能な襠を更に含む、請求項１のシガレットパッケージ。
【発明の詳細な説明】
【技術分野】
【０００１】
本発明は、フィルタシガレットやシガレット等の棒形状のシガレット製品を収容するためのシガレットパッケージに関する。
【背景技術】
【０００２】
この種のシガレットパッケージには一般的にヒンジリッド型パッケージが多用されている。しかしながら、ヒンジリッド型パッケージは長い期間に亘って使用されていることから、そのパッケージの形態は消費者にとって新規ではない。それ故、ヒンジリッド型パッケージに代わる新規な形態のパッケージとしてタングリッド型パッケージが開発されている（例えば、特許文献１）。【０００３】
特許文献１のタングリッド型パッケージは一般的なヒンジリッドパッケージに比べて、大きく異なる外観を有しているので、消費者の購買意欲を増進すると考えられている。
【特許文献１】国際公開WO2005/007538号パンフレット
【発明の開示】
【発明が解決しようとする課題】
【０００４】
特許文献１のタングリッドパッケージは、開口端を有したケースと、このケースの開口端を開閉するためのタングリッドとを含む。タングリッドが閉位置にあるとき、タングリッドは、ケースの開口端を閉塞するリッド部と、ケースの前壁に重ね合わされたタング部とを有し、タングリッドはタング部の先端が前壁のスリットに差し込まれることにより、閉位置に保持されている。【０００５】
このようなタングリッドの開閉は、スリットに対するタング部の引き抜きや差込みの動作を要求し、タングリッドの開閉は容易ではない。【０００６】
本発明の目的は、タングリッドの開閉が容易であり、しかも、消費者にとってタングリッドが確実に閉じたことを容易に把握することができるシガレットパッケージを提供することにある。
【課題を解決するための手段】
【０００７】
上記の目的を達成するため、本発明のシガレットパッケージは、開口端を有するケースと、このケースにおける開口端の後縁に第１セルフヒンジを介して接続されたタングリッドであって、開口端を開閉するリッド部と、このリッド部に第２セルフヒンジを介して接続され、タングリッドが閉位置にあるとき、ケースの前壁に重なり合うタング部とを有する、タングリッドと、タングリッドの閉作動時、タングリッドが閉位置に位置付けられたことを示すノック音を発生させ、一方、前記タングリッドを閉位置に保持する音発生／保持装置とを備える。【０００８】
具体的には、音発生／保持装置は、前壁及びタング部の一方の内面に取り付けられた磁石と、前壁及びタング部の他方の内面に取り付けられ、磁石に吸着可能なシート部材とを含み、タングリッドが閉位置にあるとき、磁石及び記シート部材は前壁を挟み込んでいる。【０００９】
上述のシガレットパッケージによれば、タングリッドが閉位置にあるとき、ケースの前壁に重ね合わされているタングリッドのタング部は，シート部材に作用する磁石の磁力により、前壁に吸着された状態にあり、タングリッドは閉位置に安定して保持される。一方、閉位置にあるタングリッドが上述の吸着力に抗して前壁から引き離されたとき、タングリッドの開操作は許容される。【００１０】
タングリッドの閉作動時、上述の吸着力の働きにより、タング部をケースの前壁を叩き、ノック音を発生させる。それ故、消費者はノック音により、タングリッドが閉じたことを把握することができる。【００１１】
好ましくは、磁石は、タング部における先端部の内面に取り付けられ、シート部材は前壁の内面に取り付けられている。【００１２】
音発生／保持装置は、タングの内面に貼り付けられ、且つ、磁石を覆う打ち当てフラップを更に含むことができる。このような打ち当てフラップは、タング部の重量を増加させ、タングリッドの閉作動時、明瞭なノック音を発生させるのに役立つ。【００１３】
音発生／保持装置は、開口端の前縁に形成された切欠を更に含むことができ、タングリッドが閉位置にあるとき、切欠はタング部により覆われている。この場合、シート部材は、切欠の近傍に位置付けられているのが好ましい。上述した切欠は前壁にフィルタシガレットやシガレット等のフィルタ製品のためのアクセス口を提供し、また、切欠の存在及びシース部材の配置は前壁を共鳴板として形成し、上述したノックの音質をより向上させるのに役立つ。【００１４】
更に、第１及び第２セルフヒンジは、タングリッドが前記閉位置にあるとき、円弧形状の横断面を有する。このような第１及び第２セルフヒンジは、タングリッドの閉作動を円滑にし、その閉作動時、タング部はその内面全体にて、ケースの前壁を確実に叩く。【００１５】
本発明のシガレットパッケージは、リッド部の側縁とケースの側壁とを互いに接続する折畳み可能な襠を更に含むことができる。このような襠は、タングリッドが閉位置にあるとき、折り畳まれた状態でケースの開口端とリッド部との間に挟み込まれ、そして、タングリッドが開かれたとき、ケースの側壁とリッド部との間に隔壁を提供する。
【発明の効果】
【００１６】
本発明のシガレットパッケージによれば、タングリッドが閉位置にあるとき、ケースの前壁に重ね合わされているタング部は音発生／保持装置の働きにより前壁に保持されるので、タングリッドの開閉は容易である。また、タングリッドの閉作動時、音発生／保持装置はノック音を発生させるので、消費者はタングリッドが閉じたことを明確に把握することができる。
【図面の簡単な説明】
【００１７】
【図１】第１実施例のシガレットパッケージをタングリッドが閉位置にあるときの状態で示す斜視図である。
【図２】タングリッドが開位置にあるときの図１のシガレットパッケージを示した斜視図である。
【図３】タングリッドが閉位置にあるとき、磁石及びシートの配置を示した図である。
【図４】図１，２のシガレットパッケージを成形するためのブランクを示した図である。
【図５】第２実施例のシガレットパッケージを示した斜視図である。
【図６】図５のシガレットパッケージの一部を拡大して示した図である。
【図７】図５のシガレットパッケージを成形するためのブランクを示した図である。
【符号の説明】
【００１８】
１０            ケース
１０ｆ          前壁
１２            開口端
１６            タングリッド
１８            リッド部
２２            タング部
２４            切欠
２６            打ち当てフラップ
２８            磁石
３４            シート
【発明を実施するための最良の形態】
【００１９】
図１及び図２は第１実施例のシガレットパッケージを示す。
図１のシガレットパッケージは直方体形状をなすケース１０を備えている。このケース１０の一端、即ち、その上端は開口端１２として形成されている。ケース１０内にはインナパック（図示しない）が収容されており、このインナパックは２０本のフィルタシガレットの束と、この束を包み込む内包材とを含む。【００２０】
ケース１０の開口端１２にはその後縁に第１セルフヒンジ１４を介してタングリッド１６が接続されている。このタングリッド１６は開口端１２を開閉するリッド部１８と、このリッド部１８に第２セルフヒンジ２０を介して接続されたタング部２２とを含む。【００２１】
本実施例の場合、第１及び第２セルフヒンジ１４，２０は、互いに平行な複数本の折り込み線の束から形成されている。それ故、タングリッド１６が図１に示された閉位置あるとき、第１及び第２セルフヒンジ１４，２０は、リッド部１８の前縁及び後縁のそれぞれを丸みが付けられた縁に形成し、この縁は円弧形状の横断面を有する。【００２２】
タングリッド１６が閉位置にあるとき、タング部２２はケース１０の前壁１０ｆに重ね合わされ、前壁１０ｆの略Ｕ字形の切欠２４を覆っている。この切欠２４は、前壁１０fの上縁に形成され、開口端１２に連なっている。それ故、図２に示されるようにタングリッド１６が開かれたとき、切欠２４は開口端１２とともにケース１０に対するアクセス口を提供し、このアクセス口は、ケース１０からのフィルタシガレットの取り出しを容易にする。【００２３】
より詳しくは、タング部２２の先端縁２２ａはリッド部１８と平行ではなく傾斜しており、この先端縁２２ａの傾斜に合わせて、切欠２４もまた歪んだＵ字形状をなしている。【００２４】
図２に示されるように、タング部２２はその内面に、打ち当てフラップ２６を有する。この打ち当てフラップ２６はタング部２２の先端縁２２ａから延び、タング部２２の内面に重ね合わされ、このタング部２２に接着されている。打ち当てフラップ２６はタング部２２を補強するライニングとしても機能する。【００２５】
更に、打ち当てフラップ２６は例えば円形の扁平な磁石２８を有する。この磁石２８は打ち当てフラップ２６とタング２２部の内面との間に挟み込まれ、タング部２２の先端縁２２ａの近傍に位置付けられている。より詳しくは、磁石２８はシート状の台座３０を介してタング部２２の内面に接触し、そして、台座３０とともに両面接着テープ３２により覆われている。それ故、両面接着テープ３２は、打ち当てフラップ２６の内面及びタング部２２の内面に双方に接着され、磁石２８及び台座３０をタング部２２と打ち当てフラップ２６との間に保持させる。【００２６】
一方、ケース１０の前壁１０ｆにはその内面にシート３４が貼付けられている。このシートは、磁石２８により吸着可能な材料から形成され、切欠２４の底に隣接して位置付けられている。【００２７】
タングリッド１６が閉位置にあるとき、即ち、タング部２２が前壁１０ｆに重ね合わされているとき、図３に示されるように、タング部２２の磁石２８は、磁石２８とシート３４との間に打ち当てフラップ２６及び前壁１０ｆを挟み込んだ状態で、シート３４に重なり合う。それ故、磁石２８の磁力はシート３４を吸着することから、磁石２８はシート３４に対して相対的に引き付けられている。【００２８】
図４は、上述したシガレットパッケージを成形するためのブランクを示し、このブランクは複数ずつのパネル及びフラップを含む。より詳しくは、ブランクはリアパネル３６、ボトムパネル３８及び切欠２４を有したフロントパネル４０を含み、これらパネル３６，３８，４０は、ケース１０の後壁、底壁１０b及び前壁１０ｆをそれぞれ形成する。リアパネル３６の両側縁には折込み線を介してインナサイドフラップ４２がそれぞれ接続されており、フロントパネル４０の両側縁には折込み線を介してアウタサイドフラップ４４がそれぞれ接続されている。これらサイドフラップ４２，４４はケース１０の左右の側壁を形成する。更に、図４でみて、各インナサイドフラップ４２の下端には折込み線を介してインナボトムフラップ４６が接続されており、インナボトムフラップ４６は底壁の補強部材として機能する。【００２９】
更に、図４でみて、リアパネル３６の上縁には第１及び第２セルフヒンジ１４，２０をリッドパネル４８及びタングパネル５０が順次されており、これらリッドパネル４８及びタングパネル５０はリッド部１８及びタング２２をそれぞれ形成する、そして、タングパネル５０の上縁には折込み線を介してフラップ５２が接続されており、このフラップ５２は打ち当てフラップ２６を形成する。前述した折込み線は図４中、破線で示されている。【００３０】
上述したブランクの折り込みに先立ち、ブランクのフラップ５２の内面には台座３０及び磁石２８が両面接着テープ３２を介して貼り付けられ、一方、フロントパネル４０の内面にシート３４に貼り付けられる。【００３１】
この後、リアパネル３６の内面上にインナパックが載置される。そして、フラップ５２は、フラップ５２とタングパネル５０との間の折込み線に沿って折り込まれ、タングパネル５０の内面に重ね合わされる。それ故、フラップ５２はタングパネル５０に両面接着テープ３２を介して接着され、これらフラップ５２とタングパネル５０との間に磁石２８及び台座３０が保持される。【００３２】
この後、前述したフラップ５２以外のパネル及びフラップは公知の手順に従い、インナパックの回りに折り込まれる。この結果、図１に示されるシガレットパッケージが成形され、このシガレットパッケージはその内部にインナパックを収容している。【００３３】
上述したシガレットパッケージによれば、タングリッド１６が閉位置にあるとき、タング部２２の磁石２８の磁力はケース１０のシート３４を吸着する。それ故、ケース１０の前壁１０fに重ね合わされているタング部２２は前壁１０ｆに吸着された状態となり、タングリッド１６はその閉位置に安定して保持される。【００３４】
一方、消費者は、磁石２８の磁力、即ち、吸着力に抗してタング部２２を前壁１０ｆから引き離し、そして、第１セルフヒンジ１４の回りにタングリッド１６を回動させれば、タングリッド１６を容易に開くことができる。【００３５】
また、タングリッド１６の閉作動時、タング部２２と前壁１０ｆとの間の間隔が所定の距離以下に達したとき、タング部２２の磁石２８は前壁１０ｆのシート３４に吸着力を及ぼし、この時点から、タング部２２は前壁１０ｆに向けて強制的な引き付け力を受ける。それ故、タング部２２は第２セルフヒンジ２０の回りに回動し、前壁１０ｆを叩くようにして前壁１０fに重ね合わされる。この際、前壁１０ｆとタング部２２との衝突はノック音を発生し、このノック音はタングリッド１６が閉じたことを消費者に知らせる。この結果、消費者はノック音を確認することで、タングリッド１６が確実に閉じたことを容易に把握できる。【００３６】
磁石２８はタング部２２における先端縁２２ａの近傍に配置され、タング部２２と打ち当てフラップ２６との間に挟み込まれているので、タング部２２における先端部の重量を増加させる。それ故、タングリッド１６の閉作動時、即ち、タング部２２が第１セルフヒンジ１４の回りに回動するとき、タング部２２の回動モーメントは増加される。この結果、タング部２２の打ち当てフラップ２６は前壁１０ｆをより強力に叩き、ノック音を明瞭に発生させる。【００３７】
更に、シート３４が前壁１０ｆにおける切欠２４の近傍に位置付けられていることから、タング部２２の磁石２８は切欠２４の近傍にて前壁１０fを叩く。それ故、前壁１０ｆは共鳴板として機能し、前述のノック音はより明瞭に発生させる。【００３８】
更にまた、タングリッド１６の閉位置にあるとき、タングリッド１６の第１及び第２セルフヒンジ１４，２０は円弧形状の横断面を有する。それ故、タングリッド１６の円滑な閉作動が可能となるので、タングリッド１６の閉作動時、タング部２２はその打ち当てフラップ２６の全面にて前壁１０ｆを叩くことができる。このことは、明瞭なノック音を発生させるうえで大きく寄与する。【００３９】
本発明は上述した第１実施例に制約されるものではない。
図５は第２実施例のシガレットパッケージを示す。第２実施例のシガレットパッケージを説明するに当たり、第１実施例のシガレットパッケージの部位と同様な部位には同一の参照符号を付し、これら部位の説明は省略し、第１実施例と相違する点のみを以下に説明する。【００４０】
第２実施例のシガレットパッケージは、ケース１０とタングリッド１６との間に一対の折込み可能な襠(gusset)５４を有する。各襠５４はケース１０における側壁１０sの上縁とリッド部１８の対応する側縁との間に位置付けられ、これら上縁及び側縁を互いに接続している。より詳しくは、襠５４は扇形形状をなし、図６に示されるように、２つのリニア辺５４ａ，５４ｂと、１つの円弧５４ｃとを有する。リニア辺５４ａは側壁１０ｓの上縁に折込み線を介して接続されており、リニア辺５４ｂはリッド部１８の側縁に折込み線を介して接続されている。円弧５４ｃは、リニア辺５４ａの一端同士を互いに接続している。なお、リニア辺５４ａ，５４ｂの他端は扇形の襠５４の中心を形成する。更に、襠５４はその中心から円弧５４ｃの中央に延びる折込み線５６を有し、この折込み線５６は襠５４を等分に区画する。【００４１】
図５，６から明らかなように、タングリッド１６の閉作動時、一対の襠５４はケース１０の開口端１２に向けて折込み線５４に沿って折り込まれる。それ故、タングリッド１６が閉位置にあるとき、各襠５４は２つ折りにして折り畳まれた状態で、ケース１０の開口端１２とリッド部１８との間に挟み込まれる。【００４２】
一方、タングリッド１６が開かれたとき、各襠５４は上述の折り畳み状態から元の扇形状に戻され、側壁１０ｓの上縁とリッド部１８の側縁との間を塞ぐ隔壁を形成する。それ故、上述した襠５４は開口端１２の機械的強度を増加させるばかりでなく、リッド１６と側壁１０sとの間の隙間を解消し、フィルタシガレットからケース１０内に零れた刻みたばこが開口端１２を通じてケース１０外に排出されるのを確実に阻止する。【００４３】
図７は、図５のシガレットパッケージを成形するためのブランクを示す。このブランクは、各インナサイドフラップ４２と対応するリッドパネル４８とを折込み線を介して接続する扇フラップ５８を更に含んでいる。これらの扇フラップ５８はその中央に折込み線５６を有し、前述した折畳み可能な襠５４を形成する。【００４４】
更に、第１及び第２実施例の場合とは異なり、磁石２８が前壁１０ｆの内面に配置されそして、シート３４がタング２２に配置されてよい。
【図１】
2009090919.tif 000003
【図２】
2009090919.tif 000004
【図３】
2009090919.tif 000005
【図４】
2009090919.tif 000006
【図５】
2009090919.tif 000007
【図６】
2009090919.tif 000008
【図７】
2009090919.tif 000009
【国際調査報告】
2009090919.tif 000010
2009090919.tif 000011
2009090919.tif 000012
2009090919.tif 000013